(57)【要約】      （修正有）【課題】身体への血行促進作用により健康増進効果をもたらし、長時間眼鏡を使用することによる身体への負担を軽減するような磁性体を備えた眼鏡チェーンを提供する。【解決手段】磁気眼鏡チェーンは、１本以上のチェーン片と、複数の磁化されたヘマタイトと、磁気眼鏡チェーンを眼鏡に固定する複数の止め具と、チェーン片と複数の磁化されたヘマタイトとを繋ぐ複数の第１の連結具と、チェーン片と複数の止め具とを繋ぐ複数の第２の連結具とを備え、磁気眼鏡チェーンの所定位置に複数の磁化されたヘマタイトを配設して一体的に形成する。磁気眼鏡チェーンを首からぶら下げて装着した際に、複数の磁化されたヘマタイトが首の後ろに接触する。【選択図】図１
0003174570.tif 000002
【実用新案登録請求の範囲】
【請求項１】
１本以上のチェーン片と、
複数の磁化されたヘマタイトと、
磁気眼鏡チェーンを眼鏡に固定する複数の止め具と、
前記チェーン片と前記複数の磁化されたヘマタイトとを繋ぐ複数の第１の連結具と、
前記チェーン片と前記複数の止め具とを繋ぐ複数の第２の連結具とを備え、
磁気眼鏡チェーンの所定位置に前記複数の磁化されたヘマタイトを配設して一体的に形成する磁気眼鏡チェーンであって、
磁気眼鏡チェーンを首からぶら下げて装着した際に、前記複数の磁化されたヘマタイトが首の後ろに接触することを特徴とする磁気眼鏡チェーン。
【請求項２】
前記複数の磁化されたヘマタイトを磁気眼鏡チェーンの両端部からみて中央付近に連設することを特徴とする請求項１に記載の磁気眼鏡チェーン。
【請求項３】
前記複数の磁化されたヘマタイトを磁気眼鏡チェーンの所定位置に一定の間隔を空けて配設することを特徴とする請求項１に記載の磁気眼鏡チェーン。
【請求項４】
前記複数の磁化されたヘマタイトは大きくても小さくてもよいことを特徴とする請求項１から３の何れか１項に記載の磁気眼鏡チェーン。
【請求項５】
前記複数の磁化されたヘマタイトは中央を貫通する孔を備え、
前記孔に前記第１の連結具を挿通し前記第１の連結具と前記チェーン片と繋ぐことにより前記複数の磁化されたヘマタイトを磁気眼鏡チェーンの所定位置に配設することを特徴とする請求項１から４の何れか１項に記載の磁気眼鏡チェーン。
【請求項６】
前記複数の止め具は調節具をさらに備え、
前記複数の止め具により磁気眼鏡チェーンを眼鏡に固定した際に、前記調節具により眼鏡のツルの外径に適合するように前記複数の止め具の内径を調節することを特徴とする請求項１から５の何れか１項に記載の磁気眼鏡チェーン。
【請求項７】
所定位置を貫通する孔を設けた複数の天然石をさらに備え、
前記孔に前記第１の連結具または前記チェーン片を挿通することにより前記複数の天然石を磁気眼鏡チェーンの所定位置に配設することを特徴とする請求項１から６の何れか１項に記載の磁気眼鏡チェーン。
【請求項８】
前記複数の天然石を保護する複数の保護具をさらに備え、
前記複数の保護具を前記複数の天然石の所定位置を貫通する前記孔の両端に配設することを特徴とする請求項７に記載の磁気眼鏡チェーン。
【考案の詳細な説明】
【技術分野】
【０００１】
本考案は、身体への血行促進作用により健康増進効果をもたらす磁気眼鏡チェーンに関する。
【背景技術】
【０００２】
近年、審美的な観点から多様な装飾が施され、例えば天然石をあしらってデザインされたようなネックレスやブレスレットに代表される装身具がよく知られている。また、身体に血行促進作用をもたらす磁性体を備えた装身具もよく知られている。
【０００３】
ここで、特許文献１にはトルマリン石、天然石及び磁性体を備えた磁気ネックレスが記載されている。
【０００４】
一方、特許文献２には、取り付けを容易にするなどの機能性の向上を図った眼鏡チェーンが記載されている。
【先行技術文献】
【特許文献】
【０００５】
【特許文献１】実用新案登録第３１６０５５６号公報
【特許文献２】実用新案登録第３１１３２９２号公報
【考案の概要】
【考案が解決しようとする課題】
【０００６】
しかし、身体への血行促進作用により健康増進効果をもたらし、長時間眼鏡を使用することによる身体への負担を軽減するような磁性体を備えた眼鏡チェーンは見られなかった。
【０００７】
そこで本考案は、身体への血行促進作用により健康増進効果をもたらし、長時間眼鏡を使用することによる身体への負担を軽減するような磁性体を備えた眼鏡チェーンを提供することを目的とする。
【課題を解決するための手段】
【０００８】
上記の課題を解決するため、本考案の磁気眼鏡チェーンは、１本以上のチェーン片と、複数の磁化されたヘマタイトと、磁気眼鏡チェーンを眼鏡に固定する複数の止め具と、チェーン片と複数の磁化されたヘマタイトとを繋ぐ複数の第１の連結具と、チェーン片と複数の止め具とを繋ぐ複数の第２の連結具とを備え、磁気眼鏡チェーンの所定位置に複数の磁化されたヘマタイトを配設して一体的に形成する磁気眼鏡チェーンであって、磁気眼鏡チェーンを首からぶら下げて装着した際に、複数の磁化されたヘマタイトが首の後ろに接触することを特徴とする。
【考案の効果】
【０００９】
本考案によれば、首周りに接触する眼鏡チェーンの特定部位に磁性化されたヘマタイトを備えることにより、眼鏡チェーンをつけながらにして身体に血行促進作用などの健康増進効果をもたらし、長時間眼鏡を使用することによる身体への負担を軽減することができる。
【図面の簡単な説明】
【００１０】
【図１】本考案の第1実施形態の磁気眼鏡チェーンの外観斜視図である。
【図２】本考案の第１実施形態の磁気眼鏡チェーンの部分拡大断面図である。
【図３】本考案の第２実施形態の磁気眼鏡チェーンの外観斜視図である。
【図４】本考案の実施形態の磁気眼鏡チェーンの人への装着図である。
【考案を実施するための形態】
【００１１】
以下、本考案の実施形態の磁気眼鏡チェーンについて図を用いて以下説明する。本考案の実施形態の磁気眼鏡チェーンは、身体への血行促進作用により健康増進効果をもたらし、長時間眼鏡を使用することによる身体への負担を軽減するような磁性体を備えたことを特徴とするものである。身体に及ぼす負担には例えば肩こりがあるが、本考案の実施形態の磁気眼鏡チェーンを装着することにより個人差があるが、肩こりを和らげることができる。磁性体としては磁化されたヘマタイトを採用する。なお、ヘマタイトには元々磁性を有するものもあるが、強磁性体であることより元々磁性の無いものであっても、着磁により磁化させることができる。本実施形態においては、左記のいずれのヘマタイトを用いてもよい。
【００１２】
［第１実施形態］
本考案の第１実施形態の磁気眼鏡チェーン１について図１及び図２を用いて説明する。本考案の第１実施形態の磁気眼鏡チェーン１は図１で表す通り、複数の天然石１１、複数の磁気ヘマタイト１２、複数の保護具１３、複数のエンドパーツ１４、複数本のチェーン１５、リング１６、止め具調節具１７、止め具１８で構成される。
【００１３】
本実施形態の磁気眼鏡チェーン１を構成する天然石１１は、縦横の最大辺が約１５ｍｍ×約２０ｍｍで角が丸みを帯び、厚み５ｍｍほどの小判状に加工された石であるが、この大きさや形状に限られるものではない。また、天然石の種類も問わない。また、図２に表すように天然石１１の内部を長手方向に貫通する孔５１を設け、当該孔５１に第１の連結具の一部を構成するワイヤ１９を通すことで複数の磁気ヘマタイト１２や複数の保護具１３と繋ぎ合わされ、磁気眼鏡チェーン１の一部を構成する。天然石１１の大きさ・形状・種類を種々変更することにより、眼鏡チェーンのデザイン性を高めることができる。なお、天然石１１は本考案の課題を解決するために必須の構成要素ではない。
【００１４】
磁気ヘマタイト１２は、球状に加工された鉄黒色の鉱石であり磁化された天然石である。磁化されたヘマタイトを身につけることで血行促進作用による健康増進効果をもたらすことが可能となる。なお図２に表すとおり、磁気ヘマタイト１２にも中心を貫通する孔５２が設けられ、当該孔５２に第１の連結具の一部を構成するワイヤ１９を通すことで複数の他の磁気ヘマタイト１２や天然石１１と繋ぎ合わされる。本実施形態の磁気ヘマタイト１２は球状であるが、これに限らず種々の形状の磁気ヘマタイトを採用することができる。
【００１５】
図１に表すように、複数の磁気ヘマタイト１２は磁気眼鏡チェーン１の両端部からみて中央付近に複数の天然石１１及び複数の保護具１３と共に一定の間隔で配列される。磁気眼鏡チェーン１を人体に装着した際にちょうど首の後ろ周りに磁気ヘマタイト１２が接触するようにするためである。本実施形態では、直径が約６ｍｍの磁気ヘマタイト１２を４つ連結させたものを３つの天然石１１を挟んで交互に４つ配列する。この連結された磁気ヘマタイトで構成する眼鏡チェーンを装着し、磁気ヘマタイトによる磁気の効果を得ることで血行促進作用による健康増進効果を高め、長時間眼鏡を使用することによる身体への負担を軽減することが可能となる。
【００１６】
また、金属光沢を有し、ブラックダイヤモンドといわれることから眼鏡チェーンを装飾するパーツとして望ましい。なお、一般的にヘマタイトには血液に対してよい効果をもたらし、運動能力や持久力を高めるなどのヒーリング効果があるといわれている。また、ヘマタイトは天然石であるため、磁石などの人為的に生成された他の磁性体と異なり人への親和性が深いといわれる。
【００１７】
保護具１３には、天然石１１などと同様にワイヤ１９を通すため中央を貫通する孔５３が設けられる（図２）。保護具１３は、本実施形態の磁気眼鏡チェーン１を装飾するパーツの一つであるとともに、これを天然石１１の長手方向に貫通する孔５１の両端部に配列することで天然石１１を所定位置に固定し（天然石の移動を防ぎ）、眼鏡チェーン使用時にチェーンを介して移動した天然石どうしが接触すること等による天然石の破損を防止することができる。なお、保護具１３は孔５３を形成できるものであれば、ビーズであってもよいし、かしめ玉であってもよい。
【００１８】
エンドパーツ１４は、ワイヤ１９とともにチェーン１５の端部とを繋ぐ第１の連結具として機能し、またリング１６を介し止め具１８を繋ぐ第２の連結具としても機能する。なお、リング１６は本考案を構成する必須の構成要素でなく、止め具１８を直接エンドパーツ１４に繋げる構成をとってもよい。止め具１８は、本実施形態の磁気眼鏡チェーン１を眼鏡のツルに固定するパーツである。本実施形態の止め具１８はゴム製でリング状である。この止め具１８に眼鏡のツルの基端を通し、止め具調節具１７を前後に摺動させ、止め具１８のリングを眼鏡のツルの外径に適合するように絞り込み、止め具１８の内径を調節することで眼鏡のツルの所定位置に固定する。なお、眼鏡へ固定できるパーツであればこれに限らずともよい。
【００１９】
なお、本実施形態の磁気眼鏡チェーン１では、チェーン１５にボールチェーンを採用しているが、これに限られるものでないことは言うまでもない。また、上記のワイヤ１９に代えて所定のチェーンを複数の天然石１１、磁気ヘマタイト１２及び保護具１３等に貫通された孔に通すことで、これらのパーツを連結させてもよい。
【００２０】
上記のようにワイヤ１９により磁気ヘマタイト１２を４つ連結させたものを３つの天然石１１を挟んで交互に４つ配列し、その両端部にエンドパーツ１４を介して長さが均等な２本のチェーン１５の一方の端部をワイヤ１９の両端部にそれぞれ繋げ、チェーン１５の所定位置に天然石１１を複数配置し保護具１３により固定するとともに、チェーン１５のもう一方の端部にエンドパーツ１４及びリング１６を介して止め具１８をそれぞれ設けることで本実施形態の磁気眼鏡チェーン１を一体的に形成する。なお、上記のようにワイヤ１９を使用せず１本のチェーンを使用して磁気眼鏡チェーンを構成してもよい。
【００２１】
本実施形態の磁気眼鏡チェーン１が上記のように構成されることにより、該磁気眼鏡チェーン１を人体に装着した際、複数の連結された磁気ヘマタイト１２が首の後ろ周りに接触するので、磁化されたヘマタイトの血行促進作用により健康増進効果をもたらし、長時間眼鏡を使用することによる身体への負担を軽減することが可能となる。
【００２２】
［第２実施形態］
次に、本考案の第２実施形態の磁気眼鏡チェーン２について図３を用いて以下説明する。なお、第１実施形態の磁気眼鏡チェーンと同様の構成については、その説明を省略する。
【００２３】
本考案の第２実施形態の磁気眼鏡チェーン２は、複数の天然石２１、複数の磁気ヘマタイト２２、複数の保護具２３、複数の連結具２４、複数本のチェーン片２５、リング２６、止め具調節具２７、止め具２８で構成される。本考案の第２実施形態の磁気眼鏡チェーン２は、第１実施形態の磁気眼鏡チェーン１とは磁気ヘマタイトの大きさ及び配列が異なる。
【００２４】
磁気ヘマタイトの大きさや配列個数によって磁気エネルギーは変化する。すなわち、磁気エネルギーは磁気ヘマタイトが大きいほどこれに比例して大きくなり、多くの磁気ヘマタイトを密接配置させることにより大きくなる。また、磁気の血行促進作用による健康増進効果には個人差があり、磁気エネルギーが大きいものを必要とする人もいれば、小さい磁気エネルギーで十分な人もいる。
【００２５】
そこで、本考案の第２実施形態の磁気眼鏡チェーン２は、磁気ヘマタイト２２の直径が第１実施形態の磁気ヘマタイト１２より小さい（本実施形態では直径約４ｍｍ）ものを使用し、複数の磁気ヘマタイト２２の間に複数の天然石２１及び保護具２３を交互に配置して、複数の磁気ヘマタイト２２が密接しないように構成される。これによって、磁気の血行促進作用による健康増進効果を得るために、小さい磁気エネルギーで十分な人のための磁気眼鏡チェーンを提供することができる。
【００２６】
なお、本実施形態においては、天然石２１は縦横の最大辺が約１０ｍｍ×約１０ｍｍのハート形状で厚みが７ｍｍほどのものを使用するが、もちろんこれに限らずともよい。また、本実施形態のチェーン２５はデザインチェーン（不図示）を採用するが、これに限られるものではない。
【００２７】
図４に、上記各実施形態の磁気眼鏡チェーンの人への装着図を表す。（ａ）は前から見た磁気眼鏡チェーンの人への装着図であり、（ｂ）は後ろから見た磁気眼鏡チェーンの人への装着図である。なお、ここでは第１実施形態の磁気眼鏡チェーン１を用いて説明する。
【００２８】
図に示す通り、本考案の第１実施形態の磁気眼鏡チェーン１の両端に設けた止め具１８を眼鏡のツル４２にそれぞれ取り付けた磁気眼鏡チェーン１を眼鏡４１に繋げ、この磁気眼鏡チェーン１を首３１からかけ、眼鏡４１をかけたときに（あるいは眼鏡４１をせずに胸元へぶら下げてもよい）、ちょうど首３１の後ろ周りに複数の磁気ヘマタイト１２が接触するので（（ｂ）図参照）、眼鏡４１をかけながらにして（あるいは眼鏡４１をかけずとも繋げた磁気眼鏡チェーン１を介して首から胸元へぶら下げたまま）磁気の血行促進作用による健康増進効果をもたらし、長時間眼鏡を使用することによる身体への負担を軽減することが可能となる。
【００２９】
なお、上述する各実施の形態は、本考案の好適な実施の形態であり、本考案の要旨を逸脱しない範囲内において種々変更実施が可能である。
【００３０】
本考案は、複数の磁化されたヘマタイトを磁気眼鏡チェーンの両端部からみて中央付近に連設することを特徴としてもよい。この連設された磁気ヘマタイトで構成する眼鏡チェーンを装着することで、連結して配列された磁気ヘマタイトにより磁気エネルギーが大きくなるので、血行促進作用による健康増進効果を高め、長時間眼鏡を使用することによる身体への負担を軽減することが可能となる。
【００３１】
本考案は、複数の磁化されたヘマタイトを磁気眼鏡チェーンの所定位置に一定の間隔を空けて配設することを特徴としてもよい。これによって、磁気エネルギーが小さくなるので、磁気の血行促進作用による健康増進効果を得るために、小さい磁気エネルギーで十分な人のための磁気眼鏡チェーンを提供することができる。
【００３２】
本考案は、複数の磁化されたヘマタイトが大きくても小さくてもよいことを特徴としてもよい。これによって、磁気エネルギーを調節できるので、磁気の血行促進作用による健康増進効果を得るために、大きい磁気エネルギーを必要とする人と小さい磁気エネルギーで十分な人の両方に適応する磁気眼鏡チェーンを提供することができる。
【００３３】
本考案は、複数の磁化されたヘマタイトが中央を貫通する孔を備え、孔に第１の連結具を挿通し第１の連結具とチェーン片と繋ぐことにより複数の磁化されたヘマタイトを磁気眼鏡チェーンの所定位置に配設することを特徴としてもよい。これにより、磁化されたヘマタイトを眼鏡チェーンに容易にあしらうことができる。
【００３４】
本考案は、複数の止め具が調節具をさらに備え、複数の止め具により磁気眼鏡チェーンを眼鏡に固定した際に、調節具により眼鏡のツルの外径に適合するように複数の止め具の内径を調節することを特徴としてもよい。これにより、止め具の内径が眼鏡のツルの外形に適合するので、様々な外径のツルを有する眼鏡に本考案の磁気眼鏡チェーンを適用することができる。
【００３５】
本考案は、所定位置を貫通する孔を設けた複数の天然石をさらに備え、孔に第１の連結具またはチェーン片を挿通することにより複数の天然石を磁気眼鏡チェーンの所定位置に配設することを特徴としてもよい。磁気眼鏡チェーンに天然石をあしらうことにより、装飾性の高い磁気眼鏡チェーンを提供することができる。
【００３６】
本考案は、複数の天然石を保護する複数の保護具をさらに備え、複数の保護具を複数の天然石の所定位置を貫通する孔の両端に配設することを特徴としてもよい。これにより天然石の両端を複数の保護具によって保護し、かつ天然石の移動を防止するので、天然石の移動に伴う接触により天然石どうしが欠損または破損することを防止することができる。
【符号の説明】
【００３７】
１、２    磁気眼鏡チェーン
１１、２１    天然石
１２、２２    磁気ヘマタイト
１３、２３    保護具
１４、２４    エンドパーツ
１５、２５    チェーン
１６、２６    リング
１７、２７    止め具調節具
１８、２８    止め具
１９    ワイヤ
３１    首
４１    眼鏡
４２    眼鏡のツル
【図１】
0003174570.tif 000003
【図２】
0003174570.tif 000004
【図３】
0003174570.tif 000005
【図４】
0003174570.tif 000006